(57)【特許請求の範囲】
【請求項１】
無線通信のための方法であって、
複数のキャリアを利用するように装置を設定することと、
前記複数のキャリアのうち、半継続的なスケジューリング（ＳＰＳ）のために使用されるキャリアのセットを識別することと、
前記キャリアのセットで、少なくとも１つのＳＰＳ割当を送信することと
を備える方法。
【請求項２】
前記キャリアのセットは、１つのみのキャリアを備え、このキャリアは、前記複数のキャリア内の主要成分キャリアを備える、請求項１に記載の方法。
【請求項３】
サブフレームにおいて、前記少なくとも１つのＳＰＳ割当の送信のために使用される第１のキャリアのセットと、動的なスケジューリング割当の送信のために使用される第２のキャリアのセットとが、共通のキャリアを備えない、請求項１に記載の方法。
【請求項４】
前記キャリアのセットは、前記第１のキャリアのセットを備える、請求項３に記載の方法。
【請求項５】
前記装置のＳＰＳ特有の識別子を用いて、前記少なくとも１つのＳＰＳ割当のデータ送信と制御送信との両方をスクランブルすることをさらに備える、請求項１に記載の方法。
【請求項６】
前記セットからのキャリアのＳＰＳアクティブ化を示すために使用されるべきアクノレッジメント／否定的アクノレッジメント（ＡＣＫ／ＮＡＫ）リソースのうちの何れか１つを決定するビットを備える物理ダウンリンク制御チャネル（ＰＤＣＣＨ）ブロックを送信することをさらに備え、
前記セットからの１または複数の別のキャリアのＳＰＳアクティブ化を示すために設定される１または複数の別のＡＣＫ／ＮＡＫリソースの１または複数のインデクスが、前記ＡＣＫ／ＮＡＫリソースのうちの１または複数の１または複数のインデクスと、ＳＰＳリソースの総数とに基づく、請求項１に記載の方法。
【請求項７】
前記セットからの複数のキャリアの解放を示す、前記装置から送信された少なくとも１つのアクノレッジメント（ＡＣＫ）を受信することをさらに備える、請求項１に記載の方法。
【請求項８】
前記セットからの複数のキャリアの１つのサブフレームにおける同時のＳＰＳアクティブ化または非アクティブ化のために、前記複数のキャリアを取り扱う物理ダウンリンク制御チャネル（ＰＤＣＣＨ）ブロックを送信することをさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、請求項１に記載の方法。
【請求項９】
前記セットからの複数のキャリアの１つのサブフレームにおける同時のＳＰＳアクティブ化または非アクティブ化のために、前記複数のキャリアのおのおのを取り扱う物理ダウンリンク制御チャネル（ＰＤＣＣＨ）ブロックを送信することをさらに備え、
前記ＰＤＣＣＨブロックのおのおのは、前記複数のキャリアの数に関するインジケーションを備える、請求項１に記載の方法。
【請求項１０】
前記セットからの少なくとも１つのキャリアのＳＰＳアクティブ化と、前記セットからの少なくとも１つの別のキャリアの同時非アクティブ化とのために、前記非アクティブ化に関するインジケーションを、前記ＳＰＳアクティブ化を取り扱う１または複数の物理ダウンリンク制御チャネル（ＰＤＣＣＨ）ブロックに組み込むことをさらに備える、請求項１に記載の方法。
【請求項１１】
無線通信のための装置であって、
複数のキャリアを利用するように別の装置を設定する手段と、
前記複数のキャリアのうち、半継続的なスケジューリング（ＳＰＳ）のために使用されるキャリアのセットを識別する手段と、
このキャリアのセットで、少なくとも１つのＳＰＳ割当を送信する手段と
を備える装置。
【請求項１２】
前記キャリアのセットは、１つのみのキャリアを備え、このキャリアは、前記複数のキャリア内の主要成分キャリアを備える、請求項１１に記載の装置。
【請求項１３】
サブフレームにおいて、前記少なくとも１つのＳＰＳ割当の送信のために使用される第１のキャリアのセットと、動的なスケジューリング割当の送信のために使用される第２のキャリアのセットとが、共通のキャリアを備えない、請求項１１に記載の装置。
【請求項１４】
前記キャリアのセットは、前記第１のキャリアのセットを備える、請求項１３に記載の装置。
【請求項１５】
前記別の装置のＳＰＳ特有の識別子を用いて、前記少なくとも１つのＳＰＳ割当のデータ送信と制御送信との両方をスクランブルする手段をさらに備える、請求項１１に記載の装置。
【請求項１６】
前記セットからのキャリアのＳＰＳアクティブ化を示すために使用されるべきアクノレッジメント／否定的アクノレッジメント（ＡＣＫ／ＮＡＫ）リソースのうちの何れか１つを決定するビットを備える物理ダウンリンク制御チャネル（ＰＤＣＣＨ）ブロックを送信する手段をさらに備え、
前記セットからの１または複数の別のキャリアのＳＰＳアクティブ化を示すために設定される１または複数の別のＡＣＫ／ＮＡＫリソースの１または複数のインデクスが、前記ＡＣＫ／ＮＡＫリソースのうちの１または複数の１または複数のインデクスと、ＳＰＳリソースの総数とに基づく、請求項１１に記載の装置。
【請求項１７】
前記セットからの複数のキャリアの解放を示す、前記別の装置から送信された少なくとも１つのアクノレッジメント（ＡＣＫ）を受信する手段をさらに備える、請求項１１に記載の装置。
【請求項１８】
前記セットからの複数のキャリアの１つのサブフレームにおける同時のＳＰＳアクティブ化または非アクティブ化のために、前記複数のキャリアのおのおのを取り扱う物理ダウンリンク制御チャネル（ＰＤＣＣＨ）ブロックを送信する手段をさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、請求項１１に記載の装置。
【請求項１９】
前記セットからの複数のキャリアの１つのサブフレームにおける同時のＳＰＳアクティブ化または非アクティブ化のために、前記複数のキャリアのおのおのを取り扱う物理ダウンリンク制御チャネル（ＰＤＣＣＨ）ブロックを送信する手段をさらに備え、
前記ＰＤＣＣＨブロックのおのおのは、前記複数のキャリアの数に関するインジケーションを備える、請求項１１に記載の装置。
【請求項２０】
前記セットからの少なくとも１つのキャリアのＳＰＳアクティブ化と、前記セットからの少なくとも１つの別のキャリアの同時非アクティブ化とのために、前記非アクティブ化に関するインジケーションを、前記ＳＰＳアクティブ化を取り扱う１または複数の物理ダウンリンク制御チャネル（ＰＤＣＣＨ）ブロックに組み込む手段をさらに備える、請求項１１に記載の装置。
【請求項２１】
無線通信のための装置であって、
複数のキャリアを利用するように別の装置を設定するように構成された第１の回路と、
前記複数のキャリアのうち、半継続的なスケジューリング（ＳＰＳ）のために使用されるキャリアのセットを識別するように構成された第２の回路と、
このキャリアのセットで、少なくとも１つのＳＰＳ割当を送信するように構成された送信機と
を備える装置。
【請求項２２】
格納された命令群を有するコンピュータ読取可能な記憶媒体であって、
前記命令群は、１または複数のプロセッサによって実行可能であり、前記命令群は、
複数のキャリアを利用するように装置を設定するための命令群と、
前記複数のキャリアのうち、半継続的なスケジューリング（ＳＰＳ）のために使用されるキャリアのセットを識別するための命令群と、
このキャリアのセットで、少なくとも１つのＳＰＳ割当を送信するための命令群と
を備えるコンピュータ読取可能な記憶媒体。
【請求項２３】
無線通信のための装置であって、
複数のキャリアを利用するように別の装置を設定し、
前記複数のキャリアのうち、半継続的なスケジューリング（ＳＰＳ）のために使用されるキャリアのセットを識別し、
このキャリアのセットで、少なくとも１つのＳＰＳ割当を送信する
ように構成された少なくとも１つのプロセッサと、
前記少なくとも１つのプロセッサに接続されたメモリと
を備える装置。
【請求項２４】
無線通信のための方法であって、
複数のキャリアを利用するための設定を受信することと、
前記複数のキャリアのうち、半継続的なスケジューリング（ＳＰＳ）のために使用されるキャリアのセットに関する識別情報を取得することと、
前記設定にしたがって、前記キャリアのセットで、少なくとも１つのＳＰＳ割当を受信することと
を備える方法。
【請求項２５】
前記キャリアのセットは、１つのみのキャリアを備え、このキャリアは、前記複数のキャリア内の主要成分キャリアを備える、請求項２４に記載の方法。
【請求項２６】
サブフレームにおいて、前記少なくとも１つのＳＰＳ割当の受信のために使用される第１のキャリアのセットと、動的なスケジューリング割当の受信のために使用される第２のキャリアのセットとが、共通のキャリアを備えない、請求項２４に記載の方法。
【請求項２７】
前記キャリアのセットは、前記第１のキャリアのセットを備える、請求項２６に記載の方法。
【請求項２８】
前記少なくとも１つのＳＰＳ割当への応答メッセージは、少なくともいくつかの制御情報を共有する、請求項２４に記載の方法。
【請求項２９】
受信した物理ダウンリンク制御チャネル（ＰＤＣＣＨ）ブロックのうちの１または複数のビットに基づいて、前記セットからのキャリアのＳＰＳアクティブ化を示すように設定された複数のアクノレッジメント／否定的アクノレッジメント（ＡＣＫ／ＮＡＫ）リソースから、ＡＣＫ／ＮＡＫリソースのインデクスを導出することと、
前記導出されたインデクスを有するＡＣＫ／ＮＡＫリソースを用いて、前記キャリアのＳＰＳアクティブ化を示すことと、
ＳＰＳリソースの総数とインデクスに基づいて、１または複数の別のＡＣＫ／ＮＡＫリソースの１または複数の別のインデクスを導出することと、
前記１または複数の別のインデクスを有する１または複数の他のＡＣＫ／ＮＡＫリソースを用いて、前記セットからの少なくとも１つの別のキャリアのＳＰＳアクティブ化を示すことと
をさらに備える、請求項２４に記載の方法。
【請求項３０】
前記セットからの複数のキャリアの解放を示すために、少なくとも１つのアクノレッジメント（ＡＣＫ）を送信することをさらに備える、請求項２４に記載の方法。
【請求項３１】
前記セットからの複数のキャリアが、１つのサブフレームにおいて同時にアクティブ化または非アクティブ化されるべきである場合、前記複数のキャリアを取り扱う物理ダウンリンク制御チャネル（ＰＤＣＣＨ）ブロックを受信することをさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、請求項２４に記載の方法。
【請求項３２】
１つのサブフレームにおいて同時にアクティブ化または非アクティブ化されるべきである、前記セットからの複数のキャリアのおのおのについて、このキャリアを取り扱う物理ダウンリンク制御チャネル（ＰＤＣＣＨ）ブロックを受信することと、
前記ＰＤＣＣＨブロックから、前記複数のキャリアの数に関するインジケーションを検出することと
をさらに備える、請求項２４に記載の方法。
【請求項３３】
前記セットからの少なくとも１つのキャリアのＳＰＳアクティブ化と、前記セットからの少なくとも１つの別のキャリアの同時非アクティブ化との場合、前記ＳＰＳアクティブ化を取り扱う、受信された物理ダウンリンク制御チャネル（ＰＤＣＣＨ）ブロックのうちの１または複数に組み込まれた非アクティブ化に関するインジケーションを検出することをさらに備える、請求項２４に記載の方法。
【請求項３４】
無線通信のための装置であって、
複数のキャリアを利用するための設定を受信する手段と、
前記複数のキャリアのうち、半継続的なスケジューリング（ＳＰＳ）のために使用されるキャリアのセットに関する識別情報を取得する手段と、
前記設定にしたがって、このキャリアのセットで、少なくとも１つのＳＰＳ割当を受信する手段と
を備える装置。
【請求項３５】
前記キャリアのセットは、１つのみのキャリアを備え、このキャリアは、前記複数のキャリア内の主要成分キャリアを備える、請求項３４に記載の装置。
【請求項３６】
サブフレームにおいて、前記少なくとも１つのＳＰＳ割当の受信のために使用される第１のキャリアのセットと、動的なスケジューリング割当の受信のために使用される第２のキャリアのセットとが、共通のキャリアを備えない、請求項３４に記載の装置。
【請求項３７】
前記キャリアのセットは、前記第１のキャリアのセットを備える、請求項３６に記載の装置。
【請求項３８】
前記少なくとも１つのＳＰＳ割当への応答メッセージは、少なくともいくつかの制御情報を共有する、請求項３４に記載の装置。
【請求項３９】
受信した物理ダウンリンク制御チャネル（ＰＤＣＣＨ）ブロックのうちの１または複数のビットに基づいて、前記セットからのキャリアのＳＰＳアクティブ化を示すように設定された複数のアクノレッジメント／否定的アクノレッジメント（ＡＣＫ／ＮＡＫ）リソースから、ＡＣＫ／ＮＡＫリソースのインデクスを導出する手段と、
前記導出されたインデクスを有するＡＣＫ／ＮＡＫリソースを用いて、前記キャリアのＳＰＳアクティブ化を示す手段と、
ＳＰＳリソースの総数とインデクスに基づいて、１または複数の別のＡＣＫ／ＮＡＫリソースの１または複数の別のインデクスを導出する手段と、
前記１または複数の別のインデクスを有する１または複数の他のＡＣＫ／ＮＡＫリソースを用いて、前記セットからの少なくとも１つの別のキャリアのＳＰＳアクティブ化を示す手段と
をさらに備える、請求項３４に記載の装置。
【請求項４０】
前記セットからの複数のキャリアの解放を示すために、少なくとも１つのアクノレッジメント（ＡＣＫ）を送信する手段をさらに備える、請求項３４に記載の装置。
【請求項４１】
前記セットからの複数のキャリアが、１つのサブフレームにおいて同時にアクティブ化または非アクティブ化されるべきである場合、前記複数のキャリアを取り扱う物理ダウンリンク制御チャネル（ＰＤＣＣＨ）ブロックを受信する手段をさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、請求項３４に記載の装置。
【請求項４２】
１つのサブフレームにおいて同時にアクティブ化または非アクティブ化されるべきである、前記セットからの複数のキャリアのおのおのについて、このキャリアを取り扱う物理ダウンリンク制御チャネル（ＰＤＣＣＨ）ブロックを受信する手段と、
前記ＰＤＣＣＨブロックから、前記複数のキャリアの数に関するインジケーションを検出する手段と
をさらに備える、請求項３４に記載の装置。
【請求項４３】
前記セットからの少なくとも１つのキャリアのＳＰＳアクティブ化と、前記セットからの少なくとも１つの別のキャリアの同時非アクティブ化との場合、前記ＳＰＳアクティブ化を取り扱う、受信された物理ダウンリンク制御チャネル（ＰＤＣＣＨ）ブロックのうちの１または複数に組み込まれた非アクティブ化に関するインジケーションを検出する手段をさらに備える、請求項３４に記載の装置。
【請求項４４】
無線通信のための装置であって、
複数のキャリアを利用するための設定を受信するように構成された受信機と、
前記複数のキャリアのうち、半継続的なスケジューリング（ＳＰＳ）のために使用されるキャリアのセットに関する識別情報を取得するように構成された回路とを備え、
前記受信機はまた、前記設定にしたがって、このキャリアのセットで、少なくとも１つのＳＰＳ割当を受信するように構成された、装置。
【請求項４５】
格納された命令群を有するコンピュータ読取可能な記憶媒体であって、前記命令群は、１または複数のプロセッサによって実行可能であり、前記命令群は、
複数のキャリアを利用するための設定を受信するための命令群と、
前記複数のキャリアのうち、半継続的なスケジューリング（ＳＰＳ）のために使用されるキャリアのセットに関する識別情報を取得するための命令群と、
前記設定にしたがって、このキャリアのセットで、少なくとも１つのＳＰＳ割当を受信するための命令群と
を備えるコンピュータ読取可能な記憶媒体。
【請求項４６】
無線通信のための装置であって、
複数のキャリアを利用するための設定を受信し、
前記複数のキャリアのうち、半継続的なスケジューリング（ＳＰＳ）のために使用されるキャリアのセットに関する識別情報を取得し、
前記設定にしたがって、このキャリアのセットで、少なくとも１つのＳＰＳ割当を受信する
ように構成された少なくとも１つのプロセッサと、
前記少なくとも１つのプロセッサに接続されたメモリと
を備える装置。
【発明の詳細な説明】
【優先権主張】
【０００１】
本特許出願は、本特許出願の譲受人に譲渡され、本明細書において参照によって明確に組み込まれ２００９年５月４日に出願された「マルチ・キャリア無線通信のための半継続的なスケジューリング」（Semi-Persistent Scheduling for Multi-Carrier Wireless Communication）と題された米国仮特許出願６１／１７５，４３３号の利益を主張する。
【技術分野】
【０００２】
本開示のある態様は、一般に、無線通信に関し、さらに詳しくは、マルチ・キャリア無線通信システムにおける半継続的なスケジューリングのためのシステムおよび方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００７】
本開示のある態様は、無線通信のための方法を提供する。この方法は、一般に、複数のキャリアを利用するように装置を設定することと、複数のキャリアのうち、半継続的なスケジューリング（ＳＰＳ）のために使用されるキャリアのセットを識別することと、このキャリアのセットで、少なくとも１つのＳＰＳ割当を送信することとを含む。
【０００８】
ある態様は、無線通信のための装置を提供する。この装置は一般に、複数のキャリアを利用するように別の装置を設定する手段と、複数のキャリアのうち、半継続的なスケジューリング（ＳＰＳ）のために使用されるキャリアのセットを識別する手段と、このキャリアのセットで、少なくとも１つのＳＰＳ割当を送信する手段とを含む。
【０００９】
ある態様は、無線通信のための装置を提供する。この装置は一般に、複数のキャリアを利用するように別の装置を設定するように構成された第１の回路と、複数のキャリアのうち、半継続的なスケジューリング（ＳＰＳ）のために使用されるキャリアのセットを識別するように構成された第２の回路と、このキャリアのセットで、少なくとも１つのＳＰＳ割当を送信するように構成された送信機とを含む。
【００１０】
ある態様は、１または複数のプロセッサによって実行可能な、格納された命令群を有するコンピュータ読取可能媒体を備える、無線通信のためのコンピュータ・プログラム製品を提供する。これら命令群は一般に、複数のキャリアを利用するように装置を設定するための命令群と、複数のキャリアのうち、半継続的なスケジューリング（ＳＰＳ）のために使用されるキャリアのセットを識別するための命令群と、このキャリアのセットで、少なくとも１つのＳＰＳ割当を送信するための命令群とを含む。
【００１１】
ある態様は、無線通信のための装置を提供する。この装置は、複数のキャリアを利用するように別の装置を設定し、複数のキャリアのうち、半継続的なスケジューリング（ＳＰＳ）のために使用されるキャリアのセットを識別し、このキャリアのセットで、少なくとも１つのＳＰＳ割当を送信するように構成された少なくとも１つのプロセッサと、少なくとも１つのプロセッサに接続されたメモリとを含む。
【００１２】
本開示のある態様は、無線通信のための方法を提供する。この方法は一般に、複数のキャリアを利用するための設定を受信することと、複数のキャリアのうち、半継続的なスケジューリング（ＳＰＳ）のために使用されるキャリアのセットに関する識別情報を取得することと、設定にしたがって、このキャリアのセットで、少なくとも１つのＳＰＳ割当を受信することとを含む。
【００１３】
ある態様は、無線通信のための装置を提供する。この装置は一般に、複数のキャリアを利用するための設定を受信する手段と、複数のキャリアのうち、半継続的なスケジューリング（ＳＰＳ）のために使用されるキャリアのセットに関する識別情報を取得する手段と、設定にしたがって、このキャリアのセットで、少なくとも１つのＳＰＳ割当を受信する手段とを含む。
【００１４】
ある態様は、無線通信のための装置を提供する。この装置は、複数のキャリアを利用するための設定を受信するように構成された受信機と、複数のキャリアのうち、半継続的なスケジューリング（ＳＰＳ）のために使用されるキャリアのセットに関する識別情報を取得するように構成された回路とを含み、ここで、受信機はまた、設定にしたがって、このキャリアのセットで、少なくとも１つのＳＰＳ割当を受信するように構成される。
【００１５】
ある態様は、１または複数のプロセッサによって実行可能な、格納された命令群を有するコンピュータ読取可能媒体を備える、無線通信のためのコンピュータ・プログラム製品を提供する。これら命令群は、一般に、複数のキャリアを利用するための設定を受信するための命令群と、複数のキャリアのうち、半継続的なスケジューリング（ＳＰＳ）のために使用されるキャリアのセットに関する識別情報を取得するための命令群と、設定にしたがって、このキャリアのセットで、少なくとも１つのＳＰＳ割当を受信するための命令群とを含む。
【００１６】
ある態様は、無線通信のための装置を提供する。この装置は、一般に、複数のキャリアを利用するための設定を受信し、複数のキャリアのうち、半継続的なスケジューリング（ＳＰＳ）のために使用されるキャリアのセットに関する識別情報を取得し、設定にしたがって、このキャリアのセットで、少なくとも１つのＳＰＳ割当を受信するように構成された少なくとも１つのプロセッサと、少なくとも１つのプロセッサに接続されたメモリとを含む。
【図面の簡単な説明】
【００１７】
本開示の上述した特徴が、より詳細に理解される方式で、簡潔に要約された上記具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムを例示する。
【図２】図２は、本開示のある態様にしたがう通信システムのブロック図を例示する。
【図３】図３は、本開示のある態様にしたがう無線通信システムを例示する。
【図４Ａ】図４Ａは、本開示のある実施形態にしたがって、キャリアにおよぶ独立した制御シグナリングの例を図示する。
【図４Ｂ】図４Ｂは、本開示のある実施形態にしたがって、キャリアにおよぶ独立した制御シグナリングの例を図示する。
【図４Ｃ】図４Ｃは、本開示のある実施形態にしたがって、キャリアにおよぶ独立した制御シグナリングの例を図示する。
【図５】図５は、本開示のある実施形態にしたがう２つのキャリアにおよぶ半継続的なスケジューリング（ＳＰＳ）および動的割当の可能な組み合わせのテーブルを図示する。
【図６Ａ】図６Ａは、本開示のある実施形態にしたがって、キャリアにおよぶ統合制御シグナリングの例を図示する。
【図６Ｂ】図６Ｂは、本開示のある実施形態にしたがって、キャリアにおよぶ統合制御シグナリングの例を図示する。
【図６Ｃ】図６Ｃは、本開示のある実施形態にしたがって、キャリアにおよぶ統合制御シグナリングの例を図示する。
【図７】図７は、本開示のある実施形態にしたがって、マルチ・キャリア無線通信のための半継続的なスケジューリングのための動作例を例示する。
【図７Ａ】図７Ａは、図７で例示された動作を実行することが可能な構成要素の例を示す。
【図８】図８は、本開示のある実施形態にしたがってユーザ機器側で実行されうる動作例を図示する。
【図８Ａ】図８Ａは、図８で例示された動作を実行することが可能な構成要素の例を示す。
【発明を実施するための形態】
【００１８】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されることが明らかであることが明白でありうる。
【００１９】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２０】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末と通信するために利用され、アクセス・ポイント、ノードＢ、あるいはその他いくつかの用語で称されうる。
【００２１】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２２】
（典型的な無線通信システム）  
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。
【００２３】
ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現する。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２４】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰロング・ターム・イボリューション（ＬＴＥ）またはイボルブドＵＴＲＡにおけるアップリンク多元接続スキームのための動作前提である。
【００２５】
図１に示すように、１つの実施形態にしたがう多元接続無線通信システムが例示される。アクセス・ポイント１００（ＡＰ）は、１つは１０４、１０６を含み、他のものは１０８、１１０を含み、さらに他のものは１１２、１１４を含む複数のアンテナ・グループを含んでいる。図１では、おのおののアンテナ・グループについて２本のアンテナしか示されていない。しかしながら、おのおののアンテナ・グループについて、それより多くのまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用することができる。例えば、順方向リンク１２０は、逆方向リンク１１８によって使用されるものとは異なる周波数を使用しうる。
【００２６】
通信するように設計された領域および／またはアンテナのおのおののグループは、しばしば、アクセス・ポイントのセクタと称される。実施形態では、おのおののアンテナ・グループは、アクセス・ポイント１００によってカバーされる領域のセクタ内のアクセス端末と通信するように設計される。
【００２７】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２８】
アクセス・ポイントは、端末と通信するために使用される固定局であり、アクセス・ポイント、ノードＢ、またはその他いくつかの用語でも称されうる。アクセス端末はまた、アクセス端末、ユーザ機器（ＵＥ）、無線通信デバイス、端末、アクセス端末、あるいはその他いくつかの専門用語で称されうる。
【００２９】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００３０】
実施形態では、おのおののデータ・ストリームは、それぞれの送信アンテナを通して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３１】
おのおののデータ・ストリームの符合化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、その後、このデータ・ストリームのために選択された特定の変調スキーム（例えば、ＢＰＳＫ、ＱＰＳＫ、Ｍ−ＰＳＫ、またはＭ−ＱＡＭ）に基づいて変調（すなわち、シンボル・マップ）され、変調シンボルが提供される。おのおののデータ・ストリームのデータ・レート、符号化、および変調は、プロセッサ２３０によって実行される命令群によって決定されうる。
【００３２】
すべてのデータ・ストリームの変調シンボルはその後、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、そのシンボルが送信されるアンテナへ、ビームフォーミング重みを適用する。
【００３３】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３４】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３５】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＲ個の「検出された」シンボル・ストリームを提供する。ＲＸデータ・プロセッサ２６０は、さらに、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ ＭＩＭＯプロセッサ２２０およびＴＸデータ・プロセッサ２１４によって実行されるものと相補的である。
【００３６】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００３７】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３８】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、この抽出されたメッセージを処理して、ビームフォーミング重みを決定するためにどの事前符号化行列を使用するかを決定する。
【００３９】
図３は、多くのユーザをサポートするように構成された無線通信システム３００を例示する。ここでは、開示されたさまざまな実施形態および態様が実現される。図３に示すように、一例として、システム３００は、例えばマクロ・セル３０２ａ−３０２ｇのような複数のセル３０２のための通信を提供する。ここで、おのおののセルは、対応するアクセス・ポイント（ＡＰ）３０４（例えば、ＡＰ３０４ａ−３０４ｇ）によってサービス提供される。おのおののセルはさらに、（例えば、１または複数の周波数をサービス提供するために、）１または複数のセクタへ分割されうる。ユーザ機器（ＵＥ）あるいは移動局としても置換可能に知られており、ＡＴ３０６ａ−３０６ｋを含むさまざまなアクセス端末（ＡＴ）３０６が、システム全体にわたって分布している。
【００４０】
ＵＥ３０６はおのおのの、例えば、ＵＥがアクティブであるか、および、ソフト・ハンドオフにあるかに依存して、所与の瞬間において、順方向リンク（ＦＬ）および／または逆方向リンク（ＲＬ）によって、１または複数のＡＰ３０４と通信することができる。無線通信システム３００は、大きな地理的領域にわたってサービスを提供することができ、例えば、マクロ・セル３０２ａ−３０２ｇは、近隣の数ブロックをカバーしうる。
【００４１】
（マルチ・キャリア無線通信のための半継続的なスケジューリング）  
本開示のある実施形態は、マルチ・キャリア無線通信システムのための半継続的なスケジューリング（ＳＰＳ）のための方法をサポートする。提案される方法は、複数のキャリアを用いて設定される所与のユーザ機器（ＵＥ）のための任意のサブフレームにおける１または複数のＳＰＳサービス（割当）のアクティブ化および解放をサポートする。
【００４２】
本開示は、マルチ・キャリア無線通信システムのための半継続的なスケジューリング（ＳＰＳ）のための方法を提案する。提案された方法は、制御シグナリング・アプローチおよびダウンリンク／アップリンク（ＤＬ／ＵＬ）キャリア・ペアリングを定義することによって、所与のＵＥのための、任意のサブフレームにおける１または複数のＳＰＳサービスをサポートする。
【００４３】
無線通信システムでは、イボルブド・ノードＢ（ｅＮＢ）が、例えば物理リソース・ブロック（ＰＲＢ）のような物理レイヤ・リソースと、アップリンク・チャネルおよびダウンリンク・チャネルのための変調および符号化スキーム（ＭＣＳ）とを割り当てる。ＭＣＳは、ＰＲＢのビット・レートおよび容量を決定しうる。割当は、１または複数の送信期間（ＴＴＩ）中、有効でありうる。
【００４４】
半継続的なスケジューリング（ＳＰＳ）は、ｅＮＢに対して、進行中の割当を、それが変更されるまでセットアップすることを許可することによって、制御チャネル・シグナリングを低減しうる。半継続的なスケジュールは、アップリンクとダウンリンクとの両方のために設定されうる。
【００４５】
ＬＴＥ無線通信規格のリリース８（Ｒｅｌ−８）仕様では、ＤＬ  ＳＰＳは、フォーマット１、１Ａ、２および２Ａを備えたダウンリンク制御情報（ＤＣＩ）メッセージによって、アクティブ化および再設定されうる。ＳＰＳアクティブ化または再設定の誤った検出の可能性を低減するために、対応するＤＣＩメッセージにおける６ビット（周波数分割デュプレクスの場合）または７ビット（時分割デュプレクスの場合）は、巡回冗長検査（ＣＲＣ）長さを、ノミナルの１６ビットから２２または２３ビットへ事実上増加させるために、ゼロに設定されうる。さらに、ＤＬ  ＳＰＳは、ＤＣＩフォーマット１Ａによって解放されうる。
【００４６】
従来、ユーザ機器（ＵＥ）は、任意のサブフレームにおいて、例えばアクティブ化（例えば、継続的なＤＬ  ＳＰＳ送信）や非アクティブ化のようなＤＬ  ＳＰＳ割当、または、動的にスケジュールされたＤＬ割当の何れかを受信しうる。ＵＥは、任意のサブフレームにおいて、前述した割当のうちの複数を同時には受信しない。ＤＬ  ＳＰＳ割当／非アクティブ化と、動的なＤＬ割当との両方が、ＵＥからのアクノレッジメント（ＡＣＫ）または否定的アクノレッジメント（ＮＡＫ）の送信を必要としうることが注目されるべきである。ＤＬ  ＳＰＳ解放（非アクティブ化）の場合には、ＵＥは、常に、肯定的なＡＣＫメッセージを送信しうる。
【００４７】
アップリンクＳＰＳはまた、ＤＣＩフォーマット０でアクティブ化または再設定されうる。ＤＬ  ＳＰＳと同様に、ＤＣＩフォーマット０における６ビットは、実際に、ＣＲＣ長さを、ノミナルの１６ビットから２２ビットへ増加させるために、ゼロに設定されうる。それに加えて、ＵＬ  ＳＰＳは、フォーマット０のＤＣＩメッセージによって解放されうる。ダウンリンクの場合と同様に、ＵＥは、単一キャリア・システムにおいて、任意のサブフレームで２つの異なる割当を同時には受信しない。
【００４８】
本開示のある実施形態の場合、サブフレームにおける動的なスケジューリング割当およびＳＰＳの送信が、複数のキャリアについて、同時に実行されうる。例えば、異なる成分キャリアにおよぶ制御信号の独立した送信や、異なる成分キャリアにおよぶ統合制御シグナリングのような２つのケースが考慮される。
【００４９】
図４Ａ−４Ｃは、本開示のある実施形態にしたがって、キャリアにわたって独立して送信される制御シグナルの例を図示する。ｅＮＢ４０２は、ＵＥ４０４へ／から信号を送信／受信しうる。
【００５０】
対称なＤＬ／ＵＬペアリングが、図４Ａに例示される。ここでは、アップリンク・キャリアとダウンリンク・キャリアの数が等しい場合、１対１のＤＬとＵＬとのペアリングが存在しうる。キャリアｃ１とｃ２のおのおのは、ダウンリンク４０６−４０８割当と、アップリンク４１０−４１２割当との両方を備えうる。２つのキャリアについて、図５に例示するように、ＤＬチャネルとＵＬチャネルにおける任意のサブフレームにおいて、ＳＰＳサービスと動的割当とからなる４つの可能な組み合わせが存在しうる。
【００５１】
図５は、本開示のある実施形態にしたがう２つのキャリアにおよぶＳＰＳおよび動的割当の可能な組み合わせのテーブルを図示する。図示されるように、２つのキャリア（ｎ＝２）について、４つ（例えば、２ｎ）の可能な組み合わせが存在しうる。
【００５２】
しかしながら、誤った検出事例を低減するために、ＳＰＳサービスを同時に備えうるキャリアの総数に制限がありうる。例えば、キャリアの総数が、Ｎによって表される場合、ＳＰＳサービスのために許可されるキャリアの総数は、Ｍによって表される。ここで、１≦Ｍ≦Ｎである。したがって、Ｍ＝１かつＮ＝２の場合、図５にリストされる最後の３つの組み合わせのみが許可されうる。ある実施形態の場合、ＵＬとＤＬとは、同時ＳＰＳサービスを有するキャリア数の観点から、異なる制限を有しうる。
【００５３】
１つの実施形態では、所与のＵＥについて、サブフレームにおける同時ＳＰＳサービスの数は、アクティブ成分キャリアの数よりも厳格に少ない。他の実施形態では、異なる成分キャリアにわたって複数のＳＰＳ割当が設定される場合、ＵＥにおいて、バッテリを節約するために、異なるＳＰＳ割当のためのＳＰＳ周期および不連続送信（ＤＴＸ）オフセットのような設定特性のうちのいくつかまたはすべてが揃えられうる。例えば、これらキャリアのうちの１つのＤＴＸオフセットまたは周期性のうちの少なくとも１つは、別のキャリアに類似しているか、または、（例えば、１０ミリ秒に対して、２０ミリ秒のように）別のキャリアの整数倍でありうる。
【００５４】
また別の実施形態では、Ｌ３（ネットワーク・レイヤ３）ＳＰＳ設定（例えば、周期性）が、１または複数のキャリアのものと類似している場合、別のキャリアのＳＰＳのアクティブ化および／または解放は、例えば変調および符号化スキームのような制御情報のうちのいくつかまたはすべてを共有しうる。しかしながら、物理ダウンリンク・チャネル（ＰＤＣＣＨ）の送信によってアクティブ化または解放されうるキャリアの数が、ＵＥに示される必要がありうる。
【００５５】
図４Ｂ−４Ｃは、キャリアにおよぶ独立制御シグナリングのための非対称なダウンリンク／アップリンク・ペアリングを例示する。図示されるように、ダウンリンク・チャネルおよびアップリンク・チャネルは、非対称にペアリングされうる。例えば、ダウンリンク・チャネルよりも多くのアップリンク・チャネルが存在しうる（図４Ｃ）か、または、図４Ｂに例示されるように、アップリンク・チャネルよりも多くのダウンリンク・チャネルが存在しうる。
【００５６】
図４Ｂに例示するように、２つのキャリアｃ１、ｃ２がＰＤＣＣＨ４０６−４０８を介してＵＥへダウンリンク制御情報を送信する一方、アップリンク・チャネル４１０は１つしか存在しない。１つのＵＬチャネルに複数のＤＬチャネルが存在し、ＵＥによって、複数のキャリアからのユニキャストＤＬ  ＰＤＣＣＨが同時に受信されうる場合、ＳＰＳおよびＤＬ動的割当が、ＵＥに同時に送信されうる。
【００５７】
いくつかのシステムでは、所与の期間（例えば、期間ｔ）において、ＵＬ毎のＳＰＳインスタンスの数に制限が存在しうる。例えば、ｔミリ秒内にＵＬ毎に１つのＳＰＳ割当しか許可されない場合、ＳＰＳ周期オフセットおよびアクティブ化または解放は、同じＵＬに関連付けられた別のキャリア間で調整され、これによって、どのｔ期間内でも、アクティブ化されたＳＰＳは１つだけ存在するようになる。
【００５８】
図４Ｃは、１つのＤＬチャネルおよび複数のＵＬチャネルを用いた、キャリアにおよぶ独立した制御シグナリングのための非対称なダウンリンクとアップリンクとのペアリングを例示する。図示されるように、キャリアｃ１は、ｃ１キャリアとｃ２キャリアとの両方について、ＰＤＣＣＨ送信のために使用されうる。動的なＵＬ割当の場合、ＵＥは、１つのＤＬキャリアにおける１つのサブフレームにおいてＵＬ割当を伝送する２つ（すなわち、複数の）独立したＰＤＣＣＨを復号しうる。
【００５９】
図６Ａ−６Ｃは、本開示のある実施形態にしたがう、複数のキャリアにおよぶ統合制御シグナリングの例を図示する。図６Ａは、キャリアｃ１、ｃ２におけるアップリンク送信のために、キャリアｃ１における統合ＤＬ制御シグナリングを備えた対称なＤＬ／ＵＬペアリングを例示する。図６Ｂおよび６Ｃは、２つのキャリアにおよぶ非対称なＤＬ／ＵＬペアリングを図示する。
【００６０】
前述したものと類似した原理は、図６Ａ−６Ｃに例示された例に当てはまりうる。図６Ｂにおけるように、１つのＵＬチャネルに複数のＤＬチャネルが存在する場合、送信ダイバーシティを改善し、柔軟性を高めるために、複数のＤＬキャリアにわたって（１つのサブフレーム内で同じスロットで、または、２つのスロットにわたって）持続的なリソース・スパニングを用いて１つのＤＬ  ＳＰＳを設定することが可能となりうる。
【００６１】
同様に、図６Ｃに例示されるように、１つのＤＬチャネルと複数のＤＬチャネルの場合、送信ダイバーシティを改善し、柔軟性を高めるために、複数のＤＬキャリアにわたって（１つのサブフレーム内で同じスロットで、または、２つのスロットにわたって）持続的なリソース・スパニングを用いて１つのＵＬ  ＳＰＳを設定することが可能となりうる。
【００６２】
Ｌ３ネットワーク・レイヤは、ＤＬ  ＳＰＳのために最大４つのアクノレッジメント／否定的アクノレッジメント（ＡＣＫ／ＮＡＫ）リソースを設定しうる一方、ＰＤＣＣＨでは、このアクティブ化のために、４つのＡＣＫ／ＮＡＫリソースのうちの何れが使用されうるかを示すために、２ビットが利用されうる。これは、２ビットのＰＵＣＣＨ送信電力制御（ＴＰＣ）コマンド・フィールドを再使用することによってなされうる。
【００６３】
ある実施形態の場合、マルチ・キャリア下におけるＤＬ ＳＰＳのＡＣＫ／ＮＡＫリソース・インデクスは、ＰＵＣＣＨにおける送信のために、１つのＴＰＣコマンド情報フィールドしか利用可能ではない場合、特別な処理を必要としうる。特に、複数のＤＬ ＳＰＳ割当のためにＡＣＫ／ＮＡＣリソース・インデクスを示すために（リリース８におけるように）２ビットしか使用されない場合、別のキャリアは、第１のＤＬ ＳＰＳのリソース・インデクスのセットに対して、設定可能な、または、ハードコードされたオフセットを持つリソース・インデクスを有しうる。
【００６４】
複数のＳＰＳサービスが、同時にアクティブ化される場合、第２のＳＰＳキャリアおよびその後のキャリアのために、いくつかのビット（例えば、２ビットの倍数）を借りる必要がありうる。あるいは、この２ビットは、以下のように解釈されうる。半継続的なリソースの総数が、ＮＰＵＣＣＨ（１）によって表されうる。第１成分キャリアについてＬ３によって設定された４つのリソースが、インデクスｎＰＵＣＣＨ，１，１（１）、ｎＰＵＣＣＨ，１，２（１）、ｎＰＵＣＣＨ，１，３（１）、およびｎＰＵＣＣＨ，１，４（１）によって表されうる。ある実施形態の場合、第２のキャリアが同時にアクティブ化される場合、第２のキャリアのための４つのリソースが、半継続的なリソースの総数と、以下のように第１のキャリアに割り当てられた第１のリソースのインデクスとに応じて決定されうる。
【００６５】
ｎＰＵＣＣＨ，２，１（１）＝ｆ（ｎＰＵＣＣＨ，１，１（１），ＮＰＵＣＣＨ（１））
例えば、関数ｆは、例えばｎＰＵＣＣＨ，２，１（１）＝ｍｏｄ（ｎＰＵＣＣＨ，１，１（１）＋１，ＮＰＵＣＣＨ（１））のようなモジュロ関数でありうる。これは、第２のキャリアのリソース・インデクスのセットが、第１のキャリアのリソース・インデクスのセットに対するオフセットを有しうることを意味する。このオフセットは、おのおののＵＥについて、おのおののセルについて設定されうるか、または、標準的な仕様で定義されうる。ある実施形態の場合、オフセットはまた、セル識別情報、キャリア・インデクス、およびその他のパラメータに基づいて決定されうる。
【００６６】
ＵＥは、受信した物理ダウンリンク制御チャネル（ＰＤＣＣＨ）ブロックのうちの１または複数のビットに基づいて、ＳＰＳのために設定されたキャリアのセットからのキャリアのＳＰＳアクティブ化を示すように設定された複数のＡＣＫ／ＮＡＫリソースから、ＡＣＫ／ＮＡＫリソースのインデクスを導出しうる。ＵＥは、導出されたインデクスを有するＡＣＫ／ＮＡＫリソースを用いてキャリアのアクティブ化を示しうる。その後、ＵＥは、ＳＰＳリソースの総数とインデクスに基づいて、１または複数の別のＡＣＫ／ＮＡＫリソースの１または複数の別のインデクスを導出しうる。その後、ＵＥは、導出された１または複数の別のインデクスを有する１または複数の他のＡＣＫ／ＮＡＫリソースを用いて、セットからの少なくとも１つの別のキャリアのＳＰＳアクティブ化を示しうる。
【００６７】
ＤＬ  ＳＰＳを解放すると、ＵＥは、対応するＰＤＣＣＨチャネルの最低の制御チャネル要素（ＣＣＥ）からマップされたＡＣＫ／ＮＡＫリソースを用いて、肯定的なＡＣＫを送信しうる。ある実施形態の場合、複数のＳＰＳリリース解放が受信されると、ＵＥは、１つのサブフレーム内のすべてのＳＰＳ解放のためにＡＣＫメッセージを統合的に送信しうる。この統合的符号化は、ダウンリンク送信のために使用されるキャリア数が、アップリンクのために使用されるキャリア数よりも多い、非対称構成の場合に適用可能でありうる。
【００６８】
例えば、Ｎ個のＤＬキャリアと１つのアップリンク・キャリアとを備えた構成の場合、ＵＥは、おのおののＤＬ  ＳＰＳのためにＡＣＫを個々に送信するのではなく、最大２つのキャリアまたは最大４つのキャリアそれぞれの解放を示すために、ＰＵＣＣＨフォーマット１ａまたは１ｂを使用しうる。ｅＮＢは、複数のキャリアの解放を示す、ＵＥから送信された少なくとも１つのＡＣＫを受信している。
【００６９】
ある実施形態の場合、複数のＳＰＳキャリアが、１つのサブフレーム内で同時にアクティブ化または非アクティブ化される場合、１つのＰＤＣＣＨブロックは、複数のＳＰＳキャリアを取り扱う。ＰＤＣＣＨブロックの１または複数のフィールドは、複数のＳＰＳキャリアのために共通でありうる一方、ＰＤＣＣＨブロックの１または複数のその他のフィールドのおのおのは、おのおのの個々の（異なる）キャリアに特有でありうる。
【００７０】
ある実施形態の場合、複数のＳＰＳキャリアが１つのサブフレーム内で同時にアクティブ化または非アクティブ化された場合、これらキャリアのおのおののために、個々のＰＤＣＣＨ送信が使用され、アクティブ化または非アクティブ化されたＳＰＳキャリアの総数が、おのおののＰＤＣＣＨ内で（または、アンカＰＤＣＣＨのみのために）、明示的または暗黙的にＵＥに示されうる。その後、ＵＥは、ＰＤＣＣＨブロックから、同時にアクティブ化または非アクティブ化されているキャリア数に関するインジケーションを検出しうる。
【００７１】
１つのサブフレーム内の複数のＰＤＣＣＨアクティブ化または非アクティブ化は、統合してまたは個々にＵＥへ送信されうる。個々の送信の場合、ＳＰＳアクティブ化または非アクティブ化の総数は、システムの信頼性を高めるために、アンカ・キャリアＳＰＳ内に、または、すべてのＳＰＳ割当に組み込まれうる。
【００７２】
ＳＰＳアクティブ化のためにスケジュールされた少なくとも１つのキャリアが存在し、同時に、ＳＰＳサービスからの非アクティブ化のためにスケジュールされた少なくとも１つのその別のキャリアが存在する場合、非アクティブ化に関するインジケーションが、アクティブ化ＰＤＣＣＨブロックの１または複数に組み込まれうる。言い換えれば、ＳＰＳアクティブ化および非アクティブ化に関するインジケーションが、統合的に送信されうる。ＵＥは、その後、非アクティブ化に関するインジケーションの組み込みを検出することができる。ここで、このインジケーションは、アクティブ化を取り扱う受信されたＰＤＣＣＨブロックのうちの１または複数に組み込まれうる。
【００７３】
ある実施形態の場合、複数のＳＰＳキャリアが、１つのサブフレーム内で同時にアクティブ化または非アクティブ化される場合、１つのＳＰＳセル・ラジオ・ネットワーク・テンポラリ識別情報（Ｃ−ＲＮＴＩ）が、すべてのキャリアのために定義されうるか、あるいは、１つのＳＰＳ  Ｃ−ＲＮＴＩが、おのおののキャリアのために定義されうる。
【００７４】
図７は、本開示のある実施形態にしたがって、ｅＮＢで実行されうるマルチ・キャリア無線通信のための半継続的なスケジューリングのための動作７００の例を示す。ｅＮＢは、７０２において、複数のキャリアを利用するようにＵＥを設定しうる。ｅＮＢは、７０４において、複数のキャリアのうち、ＳＰＳのために使用されるべきキャリアのセットを識別しうる。このキャリアのセットは、唯一のキャリア、または、複数のキャリアを含みうる。唯一のＳＰＳキャリアは、複数のキャリア内の主要成分キャリアに対応しうる。ｅＮＢは、７０６において、このキャリアのセットで、少なくとも１つのＳＰＳ割当を送信しうる。サブフレームでは、ＳＰＳ割当の送信のために使用される第１のキャリアのセットと、動的なスケジューリング割当の送信のために使用される第２のキャリアのセットは、いかなる共通キャリアも備えない。ｅＮＢは、ＵＥのＳＰＳ特有の識別子を用いて、少なくとも１つのＳＰＳ割当の制御送信とデータ送信との両方をスクランブルしうる。
【００７５】
図８は、本開示のある実施形態にしたがって、ＵＥでサービス提供されうる動作８００を例示する。ＵＥは、８０２において、複数のキャリアを用いるための設定を受信しうる。ＵＥは、８０４において、複数のキャリアのうち、ＳＰＳのために使用されるキャリアのセットに関する識別情報を取得しうる。ＵＥは、８０６において、この設定にしたがって、このキャリアのセットで、少なくとも１つのＳＰＳ割当を受信しうる。ＳＰＳ割当への応答メッセージは、少なくともいくつかの制御情報を共有しうることが注目されるべきである。
【００７６】
本開示のある実施形態は、マルチ・キャリア無線通信システムのための半継続的なスケジューリング（ＳＰＳ）のための方法を提示した。提案されたこの方法は、所与のＵＥのために、制御シグナリング・アプローチおよびＤＬ／ＵＬキャリア・ペアリングを用いて、任意のサブフレーム内の１または複数のＳＰＳサービスをサポートする。
【００７７】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するｍｅａｎｓ−ｐｕｌｓ−ｆｕｃｔｉｏｎ構成要素を有しうる。例えば、図７および図８に例示される動作７００および動作８００は、図７Ａおよび図８Ａに例示される構成要素７００Ａおよび構成要素８００Ａに対応する。
【００７８】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７９】
本開示に関連して記載された方法またはアルゴリズムのステップは、ハードウェアによって直接的に、プロセッサによって実行されるソフトウェア・モジュールによって、あるいは、これら２つの組み合わせによって具現化されうる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８０】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８１】
説明された機能を、ハードウェア、ソフトウェア、ファームウェア、またはその任意の組合せで実施することができる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００８２】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８３】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００８４】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００８５】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
以下に本願発明の当初の特許請求の範囲に記載された発明を付記する。
［Ｃ１］
無線通信のための方法であって、
複数のキャリアを利用するように装置を設定することと、
前記複数のキャリアのうち、半継続的なスケジューリング（ＳＰＳ）のために使用されるキャリアのセットを識別することと、
前記キャリアのセットで、少なくとも１つのＳＰＳ割当を送信することと
を備える方法。
［Ｃ２］
前記キャリアのセットは、１つのみのキャリアを備え、このキャリアは、前記複数のキャリア内の主要成分キャリアを備える、Ｃ１に記載の方法。
［Ｃ３］
サブフレームにおいて、前記ＳＰＳ割当の送信のために使用される第１のキャリアのセットと、動的なスケジューリング割当の送信のために使用される第２のキャリアのセットとが、共通のキャリアを備えない、Ｃ１に記載の方法。
［Ｃ４］
前記キャリアのセットは、前記第１のキャリアのセットを備える、Ｃ３に記載の方法。
［Ｃ５］
前記装置のＳＰＳ特有の識別子を用いて、前記少なくとも１つのＳＰＳ割当のデータ送信と制御送信との両方をスクランブルすることをさらに備える、Ｃ１に記載の方法。
［Ｃ６］
前記セットからのキャリアのＳＰＳアクティブ化を示すために使用されるべきアクノレッジメント／否定的アクノレッジメント（ＡＣＫ／ＮＡＫ）リソースのうちの何れか１つを決定するビットを備える物理ダウンリンク制御チャネル（ＰＤＣＣＨ）ブロックを送信することをさらに備え、
前記セットからの１または複数の別のキャリアのＳＰＳアクティブ化を示すために設定される１または複数の別のＡＣＫ／ＮＡＫリソースの１または複数のインデクスが、前記ＡＣＫ／ＮＡＫリソースのうちの１または複数の１または複数のインデクスと、ＳＰＳリソースの総数とに基づく、Ｃ１に記載の方法。
［Ｃ７］
前記セットからの複数のキャリアの解放を示す、前記装置から送信された少なくとも１つのアクノレッジメント（ＡＣＫ）を受信することをさらに備える、Ｃ１に記載の方法。
［Ｃ８］
前記セットからの複数のキャリアの１つのサブフレームにおける同時のＳＰＳアクティブ化または非アクティブ化のために、前記複数のキャリアを取り扱う物理ダウンリンク制御チャネル（ＰＤＣＣＨ）ブロックを送信することをさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、Ｃ１に記載の方法。
［Ｃ９］
前記セットからの複数のキャリアの１つのサブフレームにおける同時のＳＰＳアクティブ化または非アクティブ化のために、前記複数のキャリアのおのおのを取り扱う物理ダウンリンク制御チャネル（ＰＤＣＣＨ）ブロックを送信することをさらに備え、
前記ＰＤＣＣＨブロックのおのおのは、前記複数のキャリアの数に関するインジケーションを備える、Ｃ１に記載の方法。
［Ｃ１０］
前記セットからの少なくとも１つのキャリアのＳＰＳアクティブ化と、前記セットからの少なくとも１つの別のキャリアの同時非アクティブ化とのために、前記非アクティブ化に関するインジケーションを、前記ＳＰＳアクティブ化を取り扱う１または複数の物理ダウンリンク制御チャネル（ＰＤＣＣＨ）ブロックに組み込むことをさらに備える、Ｃ１に記載の方法。
［Ｃ１１］
無線通信のための装置であって、
複数のキャリアを利用するように別の装置を設定する手段と、
前記複数のキャリアのうち、半継続的なスケジューリング（ＳＰＳ）のために使用されるキャリアのセットを識別する手段と、
このキャリアのセットで、少なくとも１つのＳＰＳ割当を送信する手段と
を備える装置。
［Ｃ１２］
前記キャリアのセットは、１つのみのキャリアを備え、このキャリアは、前記複数のキャリア内の主要成分キャリアを備える、Ｃ１１に記載の装置。
［Ｃ１３］
サブフレームにおいて、前記ＳＰＳ割当の送信のために使用される第１のキャリアのセットと、動的なスケジューリング割当の送信のために使用される第２のキャリアのセットとが、共通のキャリアを備えない、Ｃ１１に記載の装置。
［Ｃ１４］
前記キャリアのセットは、前記第１のキャリアのセットを備える、Ｃ１３に記載の装置。
［Ｃ１５］
前記別の装置のＳＰＳ特有の識別子を用いて、前記少なくとも１つのＳＰＳ割当のデータ送信と制御送信との両方をスクランブルする手段をさらに備える、Ｃ１１に記載の装置。
［Ｃ１６］
前記セットからのキャリアのＳＰＳアクティブ化を示すために使用されるべきアクノレッジメント／否定的アクノレッジメント（ＡＣＫ／ＮＡＫ）リソースのうちの何れか１つを決定するビットを備える物理ダウンリンク制御チャネル（ＰＤＣＣＨ）ブロックを送信する手段をさらに備え、
前記セットからの１または複数の別のキャリアのＳＰＳアクティブ化を示すために設定される１または複数の別のＡＣＫ／ＮＡＫリソースの１または複数のインデクスが、前記ＡＣＫ／ＮＡＫリソースのうちの１または複数の１または複数のインデクスと、ＳＰＳリソースの総数とに基づく、Ｃ１１に記載の装置。
［Ｃ１７］
前記セットからの複数のキャリアの解放を示す、前記装置から送信された少なくとも１つのアクノレッジメント（ＡＣＫ）を受信する手段をさらに備える、Ｃ１１に記載の装置。
［Ｃ１８］
前記セットからの複数のキャリアの１つのサブフレームにおける同時のＳＰＳアクティブ化または非アクティブ化のために、前記複数のキャリアのおのおのを取り扱う物理ダウンリンク制御チャネル（ＰＤＣＣＨ）ブロックを送信する手段をさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、Ｃ１１に記載の装置。
［Ｃ１９］
前記セットからの複数のキャリアの１つのサブフレームにおける同時のＳＰＳアクティブ化または非アクティブ化のために、前記複数のキャリアのおのおのを取り扱う物理ダウンリンク制御チャネル（ＰＤＣＣＨ）ブロックを送信する手段をさらに備え、
前記ＰＤＣＣＨブロックのおのおのは、前記複数のキャリアの数に関するインジケーションを備える、Ｃ１１に記載の装置。
［Ｃ２０］
前記セットからの少なくとも１つのキャリアのＳＰＳアクティブ化と、前記セットからの少なくとも１つの別のキャリアの同時非アクティブ化とのために、前記非アクティブ化に関するインジケーションを、前記ＳＰＳアクティブ化を取り扱う１または複数の物理ダウンリンク制御チャネル（ＰＤＣＣＨ）ブロックに組み込む手段をさらに備える、Ｃ１１に記載の装置。
［Ｃ２１］
無線通信のための装置であって、
複数のキャリアを利用するように別の装置を設定するように構成された第１の回路と、
前記複数のキャリアのうち、半継続的なスケジューリング（ＳＰＳ）のために使用されるキャリアのセットを識別するように構成された第２の回路と、
このキャリアのセットで、少なくとも１つのＳＰＳ割当を送信するように構成された送信機と
を備える装置。
［Ｃ２２］
格納された命令群を有するコンピュータ読取可能媒体を備える、無線通信のためのコンピュータ・プログラム製品であって、
前記命令群は、１または複数のプロセッサによって実行可能であり、前記命令群は、
複数のキャリアを利用するように装置を設定するための命令群と、
前記複数のキャリアのうち、半継続的なスケジューリング（ＳＰＳ）のために使用されるキャリアのセットを識別するための命令群と、
このキャリアのセットで、少なくとも１つのＳＰＳ割当を送信するための命令群と
を備えるコンピュータ・プログラム製品。
［Ｃ２３］
無線通信のための装置であって、
複数のキャリアを利用するように別の装置を設定し、
前記複数のキャリアのうち、半継続的なスケジューリング（ＳＰＳ）のために使用されるキャリアのセットを識別し、
このキャリアのセットで、少なくとも１つのＳＰＳ割当を送信する
ように構成された少なくとも１つのプロセッサと、
前記少なくとも１つのプロセッサに接続されたメモリと
を備える装置。
［Ｃ２４］
無線通信のための方法であって、
複数のキャリアを利用するための設定を受信することと、
前記複数のキャリアのうち、半継続的なスケジューリング（ＳＰＳ）のために使用されるキャリアのセットに関する識別情報を取得することと、
前記設定にしたがって、前記キャリアのセットで、少なくとも１つのＳＰＳ割当を受信することと
を備える方法。
［Ｃ２５］
前記キャリアのセットは、１つのみのキャリアを備え、このキャリアは、前記複数のキャリア内の主要成分キャリアを備える、Ｃ２４に記載の方法。
［Ｃ２６］
サブフレームにおいて、前記ＳＰＳ割当の受信のために使用される第１のキャリアのセットと、動的なスケジューリング割当の受信のために使用される第２のキャリアのセットとが、共通のキャリアを備えない、Ｃ２４に記載の方法。
［Ｃ２７］
前記キャリアのセットは、前記第１のキャリアのセットを備える、Ｃ２６に記載の方法。
［Ｃ２８］
前記ＳＰＳ割当への応答メッセージは、少なくともいくつかの制御情報を共有する、Ｃ２４に記載の方法。
［Ｃ２９］
受信した物理ダウンリンク制御チャネル（ＰＤＣＣＨ）ブロックのうちの１または複数のビットに基づいて、前記セットからのキャリアのＳＰＳアクティブ化を示すように設定された複数のアクノレッジメント／否定的アクノレッジメント（ＡＣＫ／ＮＡＫ）リソースから、ＡＣＫ／ＮＡＫリソースのインデクスを導出することと、
前記導出されたインデクスを有するＡＣＫ／ＮＡＫリソースを用いて、前記キャリアのＳＰＳアクティブ化を示すことと、
ＳＰＳリソースの総数とインデクスに基づいて、１または複数の別のＡＣＫ／ＮＡＫリソースの１または複数の別のインデクスを導出することと、
前記１または複数の別のインデクスを有する１または複数の他のＡＣＫ／ＮＡＫリソースを用いて、前記セットからの少なくとも１つの別のキャリアのＳＰＳアクティブ化を示すことと
をさらに備える、Ｃ２４に記載の方法。
［Ｃ３０］
前記セットからの複数のキャリアの解放を示すために、少なくとも１つのアクノレッジメント（ＡＣＫ）を送信することをさらに備える、Ｃ２４に記載の方法。
［Ｃ３１］
前記セットからの複数のキャリアが、１つのサブフレームにおいて同時にアクティブ化または非アクティブ化されるべきである場合、前記複数のキャリアを取り扱う物理ダウンリンク制御チャネル（ＰＤＣＣＨ）ブロックを受信することをさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、Ｃ２４に記載の方法。
［Ｃ３２］
１つのサブフレームにおいて同時にアクティブ化または非アクティブ化されるべきである、前記セットからの複数のキャリアのおのおのについて、このキャリアを取り扱う物理ダウンリンク制御チャネル（ＰＤＣＣＨ）ブロックを受信することと、
前記ＰＤＣＣＨブロックから、前記複数のキャリアの数に関するインジケーションを検出することと
をさらに備える、Ｃ２４に記載の方法。
［Ｃ３３］
前記セットからの少なくとも１つのキャリアのＳＰＳアクティブ化と、前記セットからの少なくとも１つの別のキャリアの同時非アクティブ化との場合、前記ＳＰＳアクティブ化を取り扱う、受信された物理ダウンリンク制御チャネル（ＰＤＣＣＨ）ブロックのうちの１または複数に組み込まれた非アクティブ化に関するインジケーションを検出することをさらに備える、Ｃ２４に記載の方法。
［Ｃ３４］
無線通信のための装置であって、
複数のキャリアを利用するための設定を受信する手段と、
前記複数のキャリアのうち、半継続的なスケジューリング（ＳＰＳ）のために使用されるキャリアのセットに関する識別情報を取得する手段と、
前記設定にしたがって、このキャリアのセットで、少なくとも１つのＳＰＳ割当を受信する手段と
を備える装置。
［Ｃ３５］
前記キャリアのセットは、１つのみのキャリアを備え、このキャリアは、前記複数のキャリア内の主要成分キャリアを備える、Ｃ３４に記載の装置。
［Ｃ３６］
サブフレームにおいて、前記ＳＰＳ割当の受信のために使用される第１のキャリアのセットと、動的なスケジューリング割当の受信のために使用される第２のキャリアのセットとが、共通のキャリアを備えない、Ｃ３４に記載の装置。
［Ｃ３７］
前記キャリアのセットは、前記第１のキャリアのセットを備える、Ｃ３６に記載の装置。
［Ｃ３８］
前記ＳＰＳ割当への応答メッセージは、少なくともいくつかの制御情報を共有する、Ｃ３４に記載の装置。
［Ｃ３９］
受信した物理ダウンリンク制御チャネル（ＰＤＣＣＨ）ブロックのうちの１または複数のビットに基づいて、前記セットからのキャリアのＳＰＳアクティブ化を示すように設定された複数のアクノレッジメント／否定的アクノレッジメント（ＡＣＫ／ＮＡＫ）リソースから、ＡＣＫ／ＮＡＫリソースのインデクスを導出する手段と、
前記導出されたインデクスを有するＡＣＫ／ＮＡＫリソースを用いて、前記キャリアのＳＰＳアクティブ化を示す手段と、
ＳＰＳリソースの総数とインデクスに基づいて、１または複数の別のＡＣＫ／ＮＡＫリソースの１または複数の別のインデクスを導出する手段と、
前記１または複数の別のインデクスを有する１または複数の他のＡＣＫ／ＮＡＫリソースを用いて、前記セットからの少なくとも１つの別のキャリアのＳＰＳアクティブ化を示す手段と
をさらに備える、Ｃ３４に記載の装置。
［Ｃ４０］
前記セットからの複数のキャリアの解放を示すために、少なくとも１つのアクノレッジメント（ＡＣＫ）を送信する手段をさらに備える、Ｃ３４に記載の装置。
［Ｃ４１］
前記セットからの複数のキャリアが、１つのサブフレームにおいて同時にアクティブ化または非アクティブ化されるべきである場合、前記複数のキャリアを取り扱う物理ダウンリンク制御チャネル（ＰＤＣＣＨ）ブロックを受信する手段をさらに備え、
前記ＰＤＣＣＨブロックの１または複数のフィールドは、前記複数のキャリアに共通であり、前記ＰＤＣＣＨブロックの１または複数の別のフィールドのおのおのが、前記複数のキャリアの別のキャリアに割り当てられる、Ｃ３４に記載の装置。
［Ｃ４２］
１つのサブフレームにおいて同時にアクティブ化または非アクティブ化されるべきである、前記セットからの複数のキャリアのおのおのについて、このキャリアを取り扱う物理ダウンリンク制御チャネル（ＰＤＣＣＨ）ブロックを受信する手段と、
前記ＰＤＣＣＨブロックから、前記複数のキャリアの数に関するインジケーションを検出する手段と
をさらに備える、Ｃ３４に記載の装置。
［Ｃ４３］
前記セットからの少なくとも１つのキャリアのＳＰＳアクティブ化と、前記セットからの少なくとも１つの別のキャリアの同時非アクティブ化との場合、前記ＳＰＳアクティブ化を取り扱う、受信された物理ダウンリンク制御チャネル（ＰＤＣＣＨ）ブロックのうちの１または複数に組み込まれた非アクティブ化に関するインジケーションを検出する手段をさらに備える、Ｃ３４に記載の装置。
［Ｃ４４］
無線通信のための装置であって、
複数のキャリアを利用するための設定を受信するように構成された受信機と、
前記複数のキャリアのうち、半継続的なスケジューリング（ＳＰＳ）のために使用されるキャリアのセットに関する識別情報を取得するように構成された回路とを備え、
前記受信機はまた、前記設定にしたがって、このキャリアのセットで、少なくとも１つのＳＰＳ割当を受信するように構成された、装置。
［Ｃ４５］
格納された命令群を有するコンピュータ読取可能媒体を備える、無線通信のためのコンピュータ・プログラム製品であって、前記命令群は、１または複数のプロセッサによって実行可能であり、前記命令群は、
複数のキャリアを利用するための設定を受信するための命令群と、
前記複数のキャリアのうち、半継続的なスケジューリング（ＳＰＳ）のために使用されるキャリアのセットに関する識別情報を取得するための命令群と、
前記設定にしたがって、このキャリアのセットで、少なくとも１つのＳＰＳ割当を受信するための命令群と
を備えるコンピュータ・プログラム製品。
［Ｃ４６］
無線通信のための装置であって、
複数のキャリアを利用するための設定を受信し、
前記複数のキャリアのうち、半継続的なスケジューリング（ＳＰＳ）のために使用されるキャリアのセットに関する識別情報を取得し、
前記設定にしたがって、このキャリアのセットで、少なくとも１つのＳＰＳ割当を受信する
ように構成された少なくとも１つのプロセッサと、
前記少なくとも１つのプロセッサに接続されたメモリと
を備える装置。
【図１】
0005420758.tif 000002
【図２】
0005420758.tif 000003
【図３】
0005420758.tif 000004
【図４Ａ】
0005420758.tif 000005
【図４Ｂ】
0005420758.tif 000006
【図４Ｃ】
0005420758.tif 000007
【図５】
0005420758.tif 000008
【図６Ａ】
0005420758.tif 000009
【図６Ｂ】
0005420758.tif 000010
【図６Ｃ】
0005420758.tif 000011
【図７】
0005420758.tif 000012
【図７Ａ】
0005420758.tif 000013
【図８】
0005420758.tif 000014
【図８Ａ】
0005420758.tif 000015